(57)【要約】【課題】  灯具全体を大きくすることなく、多くの配光分布パターンを設定することが可能な自動車用灯具を提供する。【解決手段】  可動基板と中枠を繋ぐ梁と、中枠と外枠を繋ぐ梁は互いに直交し、かつ、可動基板と中枠を繋ぐ梁と、中枠と外枠を繋ぐ梁をねじり変形させ、可動基板を外枠に対して各々独立に、２軸方向に揺動させることにより、任意の配光分布パターンの設定を行うようにして配光制御デバイスを構成する。    【選択図】  図１
2006127963.tif 000002
【特許請求の範囲】
【請求項１】
発光体が配置された複数の可動基板と、複数の中枠と、外枠と、前記可動基板と前記中枠を繋ぐ梁と、前記中枠と前記外枠を繋ぐ梁で構成された自動車用灯具において、
前記可動基板と前記中枠を繋ぐ梁と、前記中枠と前記外枠を繋ぐ梁は互いに直交し、かつ、前記可動基板と前記中枠を繋ぐ梁と、前記中枠と前記外枠を繋ぐ梁をねじり変形させ、前記可動基板を前記外枠に対して各々独立に、２軸方向に揺動させることにより、配光分布パターンの設定を行うことを特徴とする配光制御デバイス。
【請求項２】
複数の発光体が可変形基板上に配置された自動車用灯具において、
前記可変形基板を変形させることにより、配光分布パターンの設定を行うことを特徴とする配光制御デバイス。
【請求項３】
剛体基板が伸縮可能な支持部材に支持され、かつ、前記剛体基板上に発光体が配置された自動車用灯具において、
前記伸縮可能な支持部材の伸縮により前記剛体基板が傾くことで、配光分布パターンの設定を行うことを特徴とする配光制御デバイス。
【請求項４】
剛体基板が弾性梁に支持され、かつ、前記剛体基板上に発光体が配置された自動車用灯具において、
前記弾性梁のたわみにより前記剛体基板が傾くことで、配光分布パターンの設定を行うことを特徴とする配光制御デバイス。
【請求項５】
複数の発光体と複数の反射板で構成された自動車用灯具において、
任意の配光をもつように各々前記発光体に対向して前記反射板が配置され、
かつ、前記反射板を各々独立に揺動させることにより、配光分布パターンの設定を行うことを特徴とする配光制御デバイス。
【請求項６】
発光体と反射板で構成されたユニットが複数並んだ自動車用灯具において、
前記ユニットが各々任意の配光をもつように構成され、
かつ、前記ユニットを各々独立に揺動させることにより、配光分布パターンの設定を行うことを特徴とする配光制御デバイス。
【発明の詳細な説明】
【技術分野】
【０００１】
本発明は、配光制御が可能な自動車用灯具に関するものである。
【背景技術】
【０００２】
従来、この種の配光制御が可能な自動車用灯具に係わる公知技術として、例えば、特許文献１がある。
【０００３】
特許文献１に記載の配光制御が可能な自動車用灯具は、配光の異なる発光体を複数配置し、それらの点滅または調光により配光制御を行っている。
【０００４】
【特許文献１】特開２００４−７１４０９号公報
【発明の開示】
【発明が解決しようとする課題】
【０００５】
しかしながら、上記従来技術には、以下のような課題が存在する。
すなわち、特許文献１に記載の配光制御が可能な自動車用灯具は、発光体の点滅または調光により配光制御を行っている。そのため、設定可能な配光分布パターンを多くするには、多くの発光体が必要となり、自動車用灯具全体が大きくなってしまうという問題が存在する。
本発明の目的は、少ない発光体、すなわち、灯具全体を大きくすることなく、多くの配光分布パターンを設定できる自動車用灯具を提供することである。
【課題を解決するための手段】
【０００６】
上記目的を達成するために、本発明では，配光の異なる複数発光体の点滅または調光だけではなく、発光体自体、もしくは、発光体から照射される光を反射する反射板を各々独立に動かす構造とする。具体的には、次に示す配光制御デバイスを提供する。
【０００７】
発光体が配置された複数の可動基板と、複数の中枠と、外枠と、前記可動基板と前記中枠を繋ぐ梁と、前記中枠と前記外枠を繋ぐ梁で構成された自動車用灯具において、
前記可動基板と前記中枠を繋ぐ梁と、前記中枠と前記外枠を繋ぐ梁は互いに直交し、かつ、前記可動基板と前記中枠を繋ぐ梁と、前記中枠と前記外枠を繋ぐ梁をねじり変形させ、前記可動基板を前記外枠に対して各々独立に、２軸方向に揺動させることにより、配光分布パターンの設定を行う配光制御デバイス。
【０００８】
複数の発光体が可変形基板上に配置された自動車用灯具において、
前記可変形基板を変形させることにより、配光分布パターンの設定を行う配光制御デバイス。
【０００９】
剛体基板が伸縮可能な支持部材に支持され、かつ、前記剛体基板上に発光体が配置された自動車用灯具において、前記伸縮可能な支持部材の伸縮により前記剛体基板が傾くことで、配光分布パターンの設定を行う配光制御デバイス。
【００１０】
剛体基板が弾性梁に支持され、かつ、前記剛体基板上に発光体が配置された自動車用灯具において、前記弾性梁のたわみにより前記剛体基板が傾くことで、配光分布パターンの設定を行う配光制御デバイス。
【００１１】
複数の発光体と複数の反射板で構成された自動車用灯具において、
任意の配光をもつように各々前記発光体に対向して前記反射板が配置され、
かつ、前記反射板を各々独立に揺動させることにより、配光分布パターンの設定を行う配光制御デバイス。
【００１２】
発光体と反射板で構成されたユニットが複数並んだ自動車用灯具において、
前記ユニットが各々任意の配光をもつように構成され、
かつ、前記ユニットを各々独立に揺動させることにより、配光分布パターンの設定を行う配光制御デバイス。
【発明の効果】
【００１３】
本発明によれば、配光の異なる複数発光体の点滅または調光だけではなく、発光体自体、もしくは、発光体から照射される光を反射する反射板を動かすことで光軸を変化させることにより、灯具全体を大きくすることなく、多くの配光分布パターンを設定できる自動車用灯具の実現が可能となる。
【発明を実施するための最良の形態】
【００１４】
以下、発明を実施するための最良の形態について説明する。
【実施例１】
【００１５】
本発明の実施例１を図１により説明する。図１において、自動車用灯具１００は、短形状であり、平板上の台座２０を使用して構成される。発光体１０は台座２０の可動基板２１上に複数配置されている。台座２０は複数の可動基板２１、複数の中枠２２、外枠２３、可動基板２１と中枠２２を繋ぐ複数の梁２４、中枠２２と外枠２３を繋ぐ複数の梁２５から成る。図に示すように、外枠２３には外方と円方の２つの短形状配置の貫通孔２６，２７が設けてあり、これによって梁２４，２５によってつなげられた中枠２２，可動基板２１が外枠２５に保持される。梁２４と梁２５とは十字方向の配置、すなわち直交する配置としている。
【００１６】
可動基板２１と中枠２２を繋ぐ梁２４と中枠２２と外枠２５を繋ぐ梁の軸は互いに直交している。これらの梁のねじり変形により、可動基板２１は中枠２２に対して揺動し、中枠２２と可動基板２１は外枠２５に対して揺動する。
【００１７】
このようにして、発光体１０が配置された複数可動基板２１と、複数の中枠２２と、外枠２３と、可動基板２１と中枠２２を繋ぐ梁２４と、中枠２２と外枠２３を繋ぐ梁２８で構成された自動車用灯具であって、可動基板２１と中枠２２を繋ぐ梁２４と、中枠２２と外枠２３を繋ぐ梁２５は互いに直交し、かつ、可動基板２１と中枠２２を繋ぐ梁２４と、中枠２１と外枠２３を繋ぐ梁２５をねじり変形させ、可動基板２１を外枠２３に対して各々独立に、２軸方向に揺動させることにより、任意の配光分布パターンの設定を行う配光制御デバイスが構成される。
【００１８】
この結果、可動基板２１上の発光体１０は外枠２３に対して各々独立に２軸方向の揺動が可能となる。この揺動運動により発光体１０の光軸を任意に変化させることで、任意の配光分布パターンを設定することが可能となる。
可動基板２１を外枠２３に対して揺動させる力としては、静電力、電磁力を作用させて発生させる。また、圧電素子や磁歪素子を用いることも可能である。
本実施例では可動基板２１と中枠２２、中枠２２と外枠２３を各々ねじり変形する梁２４，２５で繋いでいるので、構成が簡単なものとなる。
【実施例２】
【００１９】
本発明の実施例２を図２により説明する。尚、実施例に共通な部材、部分には同一番号を付して説明が重複しないようにする。発光体１０は台座２０の上に設けた可変形基板３１上に実装され、可変形基板３１は複数の伸縮可能な支持部材３２に支持されている。複数の伸縮可能な支持部材３２を独立に伸縮させることで、可変形基板３１は変形する。この変形により、可変形基板３１上に実装された発光体１０の光軸を変化させることで、任意の配光分布パターンを設定することが可能となる。
本実施例では伸縮可能な支持部材３２により、可変形基板３１を変形させているが、カムやローラーを用いて可変形基板３１を変形させることも可能である。また、実施例１と同じく静電力や電磁力といった非接触力を用いて可変形基板３１を変形させる。
【実施例３】
【００２０】
本発明の実施例３を図３により説明する。発光体１０は台座２０の上に設けた剛体基板３３上に実装され、剛体基板３３は複数の伸縮可能な支持部材３２に支持されている。複数の伸縮可能な支持部材３２を独立に伸縮させることで、剛体基板３３は傾く。この傾きにより、剛体基板３３上に実装された発光体１０の光軸を変化させることで、任意の配光分布パターンを設定することが可能となる。
本実施例では伸縮可能な支持部材３２により、剛体基板３３を傾けているが、カムやローラーを用いて剛体基板３３を傾けることも可能である。また、静電力や電磁力といった非接触力を用いて剛体基板３３を傾ける。
【実施例４】
【００２１】
本発明の実施例４を図４により説明する。発光体１０は台座２０の上に設けた剛体基板３３上に実装され、剛体基板３３は弾性梁３５に支えられている。弾性梁３５をたわませることで、剛体基板３３は傾く。この傾きにより、剛体基板３３上に実装された発光体１０の光軸を変化させることで、任意の配光分布パターンを設定することが可能となる。
弾性梁３５をたわませる手段として、圧電バイモルフ、圧電ユニモルフ、熱変形、あるいは形状記憶合金を用いる。
【実施例５】
【００２２】
本発明の実施例５を図５により説明する。発光体１０が台座２０の上に設けた基板４１上に複数配置され、発光体１０の発光面に対向するように可動反射板４２が複数配置されている。図５では、発光体１０と可動反射板４２が同一基板上に配置されているが、別々の基板に配置することも可能である。発光体１０から照射された光は可動反射板４２で所望の向きに反射される。可動反射板４２を２軸方向に揺動させることにより、反射光の光軸を任意に変化させることが可能となり、任意の配光分布パターンを設定することが可能となる。可動反射板４２を揺動させるための力としては、静電力、電磁力を用いる。また、圧電素子や磁歪素子を用いることも可能である。
【００２３】
可動反射板４２を揺動させる方法としては、例えば実施例１の可動基板２１を可動反射板４２として用いるようにしてもよい。
また、図６に示すように、反射板４３の弾性支持部材３５をたわませる方法がある。発光体１は基板４１上に実装されている。発光体１０の発光面に対向するように反射板４３が配置されている。反射板４３は弾性支持部材３５で支えられている。この弾性支持部材３５をたわませることで反射板４３を傾けて、反射光の向きを変化させることが可能となる。
【００２４】
本実施例では、反射板４３を揺動させることで、反射光の向きを変化させているが、反射板４３を変形させても同様な効果が得られる。
また、実施例３の剛体基板３３を反射板４３として用いるようにしてもよい。
【実施例６】
【００２５】
本発明の実施例６を図７により説明する。発光体１０と可動基板２１及び反射板４３から成る台座となる複数のユニット５０は、その可動基板２１が中枠２２と梁２４を介して繋がっている。中枠２２は外枠２３と梁２５を介して繋がっている。発光体１０から照射された光は反射板４３で所望の向きに反射される。また、各ユニットは任意の配光をもつように構成されている。ユニット５０上でと中枠２２を繋ぐ梁２４と中枠２２と外枠２３を繋ぐ梁２５の軸は実施例１と同様にして互いに直交している。これらの梁２４、２５のねじり変形により、ユニット５０は中枠２２に対して揺動し、中枠２２とユニット５０は外枠２３に対して揺動する。この結果、複数のユニット５０は外枠２３に対して各々独立に２軸方向の揺動が可能となる。この揺動運動により発光体１０から照射される光の光軸を任意に変化させることで、任意の配光分布パターンを設定することが可能となる。
ユニット５０を外枠２３に対して揺動させる力としては、静電力、電磁力を使用する。また、圧電素子や磁歪素子を用いることも可能である。
【００２６】
本実施例ではユニット５０と中枠２２、中枠２２と外枠２３を各々梁２４，２５で繋いでいるが、軸受けを介して剛体軸で繋いだ場合も同様な効果が得られる。
【００２７】
図８に記載の配光制御デバイスは上記実施例６の応用例である。台座２０の上に設けた複数のモータ５１及び複数の軸受け５２を介して、複数の発光体ユニット６０が外枠２３に、また内枠に先の実施例と同様にして繋がっている。複数のモータ５１が各々独立に回転することにより、複数の発光体ユニット６０も外枠２３に対して各々独立に揺動する。また、ステップモータを用いることにより、発光体ユニット６０を正確に所望の位置に揺動させることが可能となる。
【００２８】
図９は図８に示す発光体ユニット６０の展開を図９（ａ），図９（ｂ），図９（ｃ）で示す図であり、図１０は発光体ユニット６０の一部である基板の裏側を示している。発光体ユニット６０は発光体１０と基板６１と台座２０から成る。基板６１は可動部６３と足６４から成り、可動部６３は梁６５を介し足６４と繋がっている。発光体１０は基板６１の可動部上に配置されている。基板６１の裏側には、可動部６３を揺動させるための電磁力を発生させるのに必要なコイル６６、配線を接続する為のパッド６７が形成されている。基板６１の足は台座２０と接合されている。台座２０には基板の可動部６３を揺動させるための電磁力を発生させるのに必要な永久磁石６８が配置されている。基板６１と台座２０の間には、可動部６３の揺動位置を検出するための静電容量センサ電極６９が配置されている。基板裏側のコイルに電流が流れると、台座２０に配置された永久磁石６８による磁界との作用から、基板の梁を中心軸としたトルクが発生し、基板６１の可動部６３が揺動する。また、静電容量センサ電極６９を用いてフィードバック制御を行うことにより、基板６１の可動部上の発光体１０を正確に所望の位置に揺動させることが可能となる。この可動部６３の揺動とモータによる発光体ユニット６０の揺動を組み合わせることにより、可動部６３上の発光体１０は、外枠２３に対して２軸方向の揺動が可能となる。これらの揺動運動により、発光体から照射される光の光軸を任意に変化させることで、任意の配光分布パターンを設定することが可能となる。
【図面の簡単な説明】
【００２９】
【図１】本発明の実施例１を示す斜視図である。
【図２】本発明の実施例２を示す斜視図である。
【図３】本発明の実施例３を示す斜視図である。
【図４】本発明の実施例４を示す斜視図である。
【図５】本発明の実施例５を示す斜視図である。
【図６】本発明の実施例５の反射板を揺動させる方法の一例である。
【図７】本発明の実施例６を示す斜視図である。
【図８】本発明の実施例６の応用例を示す斜視図である。
【図９】図８に示す応用例の発光体ユニットの展開図である。
【図１０】図９に示す発光体ユニットの基板裏側を示す斜視図である。
【符号の説明】
【００３０】
１０…発光体
２０…台座
２１…可動基板
２２…中枠
２３…外枠
２４…可動基板と中枠を繋ぐ梁
２５…中枠と外枠を繋ぐ梁
３１…可変形基板
３２…伸縮可能な支持部材
３３…剛体基板
３４…固定支持部材
３５…弾性支持部材
４１…基板
４２…可動反射板
４３…反射板
５０…ユニット
５１…モータ
５２…軸受
７０…発光体ユニット
６１…発光体ユニットの基板
６３…基板の可動部
６４…基板の足
６５…可動部と足を繋ぐ梁
６６…コイル
６７…パッド
６８…永久磁石
６９…静電容量センサ
【図１】
2006127963.tif 000003
【図２】
2006127963.tif 000004
【図３】
2006127963.tif 000005
【図４】
2006127963.tif 000006
【図５】
2006127963.tif 000007
【図６】
2006127963.tif 000008
【図７】
2006127963.tif 000009
【図８】
2006127963.tif 000010
【図９】
2006127963.tif 000011
【図１０】
2006127963.tif 000012